(57)【要約】【課題】作業性の向上を図ることが可能な、また、接続回路数を増やすことが可能な回転嵌合式コネクタにおける回動部材側コネクタを提供する。【解決手段】フロントホルダー３５は、コネクタ嵌合方向の切り欠きとなるスリット５４を環状側壁４８に複数有する。フロントホルダー３５が嵌合する雌コネクタハウジング３３の円柱部３７は、スリット５４に露出して円柱部３７及び環状側壁４８の各外周面と略同一の曲面となる外周面延長部４１を複数有する。環状側壁４８は、コネクタ嵌合方向に長い側壁延長部５５を複数有する。円柱部３７は、側壁延長部５５を案内する案内溝４５を側壁延長部５５の配置に合わせて複数有する。フロントホルダー３５と円柱部３７との嵌合境界６３〜６５の位置は互い違いとする。【選択図】図１
2008130466.tif 000002
【特許請求の範囲】
【請求項１】
略円柱形状の円柱部に複数の端子収容室を有するコネクタハウジングと、対応する前記端子収容室に収容される複数の接続端子と、略環状の環状側壁を有するとともに前記コネクタハウジングに嵌合して前記端子収容室の前部を構成するフロントホルダーと、該フロントホルダーの前記環状側壁に対し所定の間隔をあけた状態で前記コネクタハウジングに回動自在に支持され且つ回動させると相手側コネクタを初期嵌合状態から完全嵌合状態へ移行させる回動部材とを備え、さらに、前記初期嵌合状態又は前記完全嵌合状態への移行の際に前記相手側コネクタの嵌合側端部が前記フロントホルダーと前記円柱部との嵌合境界を通過する、回転嵌合式コネクタにおける回動部材側コネクタにおいて、
前記フロントホルダーは、前記コネクタ嵌合方向の切り欠きとなるスリットを前記環状側壁に一又は複数有し、前記円柱部は、前記スリットに露出して前記円柱部及び前記環状側壁の各外周面と略同一の曲面となる外周面延長部を一又は複数有し、前記嵌合境界の位置は互い違いとする
ことを特徴とする回転嵌合式コネクタにおける回動部材側コネクタ。
【請求項２】
請求項１に記載の回転嵌合式コネクタにおける回動部材側コネクタにおいて、
前記環状側壁は、前記コネクタ嵌合方向に長い側壁延長部を一又は複数有し、前記円柱部は、前記側壁延長部を案内する案内溝を前記側壁延長部の配置に合わせて一又は複数有する
ことを特徴とする回転嵌合式コネクタにおける回動部材側コネクタ。
【発明の詳細な説明】
【技術分野】
【０００１】
本発明は、回動部材を回動させると相手側コネクタが初期嵌合状態から完全嵌合状態へ移行する回転嵌合式コネクタにおける回動部材側コネクタに関する。
【背景技術】
【０００２】
多極コネクタは、一対のコネクタの各コネクタハウジングに多数の接続端子を有することから、コネクタ嵌合作業の際に大きな労力を必要とする。このため作業者の疲労度が大きくなり、この労力を軽減するための機構が必要になってくる。従来より回動部材を備えた回転嵌合式コネクタが幾つか提案されている。
【０００３】
図８において、下記特許文献１に開示された回転嵌合式コネクタ１は、回動部材２を有する雌コネクタ３と、この雌コネクタ３にコネクタ嵌合する雄コネクタ４とを備えて構成されている。雌コネクタ３及び雄コネクタ４同士のコネクタ嵌合に関しては、回動部材２を所定方向に回動させると、コネクタ同士の引き寄せが生じるような機構によりコネクタ嵌合が行われるようになっている。回動部材２を回動させると、初期嵌合状態から完全嵌合状態への移行がなされて、電気的な接続が完了するようになっている。
【０００４】
図８及び図９において、雌コネクタ３は、雌コネクタハウジング５と、この雌コネクタハウジング５の複数の端子収容室にそれぞれ収容される雌型の接続端子と、雌コネクタハウジング５に嵌合して端子収容室の前部を構成するフロントホルダー６と、雌コネクタハウジング５に回動自在に支持される上記回動部材２とを備えて構成されている。
【０００５】
雌コネクタハウジング５は、内部に複数の端子収容室を有する略円柱形状の円柱部７を有している。図中の雌コネクタハウジング５は、２１個の接続端子を収容することが可能な複数の端子収容室を有している。雌コネクタハウジング５の後部には、円柱部７の後部を囲む環状の回転壁８が形成されている。この回転壁８と円柱部７との間には、環状のシール材が設けられている。回転壁８の後方には、回動部材２に対する回動支持溝９が円周方向に形成されている。そして、この回動支持溝９の後方には、径方向外側に延出する延出片１０が形成されている。延出片１０の隣には、凹部１１、１２等が形成されている。
【０００６】
回動部材２は、内側円筒部１３と、この内側円筒部１３の中間に連続して後方に伸びる外側円筒部１４とを有している。外側円筒部１４とこの内側の内側円筒部１３との間には、雌コネクタハウジング５の回転壁８を差し込むことができるような形状に形成されている。外側円筒部１４の後部には、雌コネクタハウジング５の回動支持溝９に引っ掛かる係合片１５が形成されている。また、外側円筒部１４の後端部には、回動部材２の回動の際に雌コネクタハウジング５の凹部１１、１２の部分を移動する凸部１６が形成されている。凸部１６は、可撓性を有するアーム形状の部分と、係止突起形状の部分とを有するように形成されている。内側円筒部１３の内面且つ前端開口側には、コネクタ嵌合の際に用いられる突起部１７が複数形成されている。突起部１７は、１２０°のピッチとなるように配置されている。
【０００７】
フロントホルダー６は、円形の前壁１８と、環状側壁１９とを有している。前壁１８には、雌コネクタハウジング５の端子収容室の位置に合わせて複数の開口２０が貫通形成されている。開口２０は、コネクタ嵌合の際に雌コネクタ４の雄型の接続端子が差し込まれる部分として形成されている。開口２０は、端子収容室が２１個あることから、これと同じ２１個形成されている。環状側壁１９は、全周にわたり均一な幅ｈで形成されている。環状側壁１９は、フロントホルダー６が雌コネクタハウジング５の円柱部７に嵌合すると、この円柱部７の外周面に同一となる曲面（外周面）を有するように形成されている。フロントホルダー６が雌コネクタハウジング５の円柱部７に嵌合した状態において、引用符号２１はこれらの嵌合境界（嵌合境界となる線）を示している。嵌合境界２１は、フロントホルダー６の先端位置から寸法ｈの分だけ後方となる位置に形成されるている。
【０００８】
ここで端子収容室について補足説明すると、フロントホルダー６の環状側壁１９は当然のことながら肉厚があり、このフロントホルダー６が嵌合する円柱部７の上記外周面側の壁にも肉厚があることから、これら肉厚の内側のスペースに端子収容室が形成されている。図中では２１個形成されていることから、スペースをうまく配分しながら端子収容室が形成されている。尚、端子収容室は、スペースの関係上、この端子収容室を形成することができる数に限りがあるのは言うまでもない（この点については問題点として後述する）。
【０００９】
雄コネクタ４は、雄コネクタハウジング２２と、この雄コネクタハウジング２２に収容固定される複数の雄型の接続端子と、雄コネクタハウジング２２の外側中間で雄コネクタハウジング２２の嵌合部２３の後方に設けられるシールリングとを備えて構成されている。嵌合部２３の外周面には、雌コネクタ３の突起部１７を案内する嵌合溝２４が複数形成されている。嵌合溝２４は、嵌合部２３の先端位置から開口するように形成されている。嵌合溝２４は、コネクタ嵌合方向に伸びる直線部２５を有している。嵌合溝２４の直線部２５は、雌コネクタ３及び雄コネクタ４同士のコネクタ嵌合の際において、初期嵌合させた時に突起部１７が移動する部分であって、この直線部２５の直線終端部２６は初期嵌合位置となるようになっている。
【００１０】
嵌合溝２４は、直線終端部２６から嵌合部２３の外周面を回動部材２の回動方向と同じ方向の周方向に嵌合部２３の後方に向かって傾斜する（螺旋状に傾斜する）傾斜部２７が形成されている。この傾斜部２７には、嵌合溝２４の終端部２８が連続して形成されている。終端部２８と直線終端部２６とのコネクタ嵌合方向の距離は、雌コネクタ３及び雄コネクタ４同士のコネクタ嵌合（初期嵌合状態から完全嵌合状態まで）をさせた際の移動距離に等しくなるように設定されている。
【００１１】
上記構成において、雌コネクタ３及び雄コネクタ４同士のコネクタ嵌合を行うためには、先ず、雌コネクタ３及び雄コネクタ４の組み立てを完了させる。雌コネクタ３は、雌コネクタハウジング５の端子収容室に雌型の接続端子を収容させ、回動部材２をこの外側円筒部１４の後端部から雌コネクタハウジング５に挿入することにより組み立てが開始する。そして、回動部材２の係合片１５を雌コネクタハウジング５の回動支持溝９に引っ掛けて回動部材２を回動自在に支持させるとともに、外側円筒部１４の凸部１６を雌コネクタハウジング５の凹部１１に係合させて雌コネクタ３の組み立てを完了させる（雄コネクタ４の組み立てに関しては説明を省略する）。
【００１２】
次に、雌コネクタ３の先端部（フロントホルダー６が嵌合する部分）を雄コネクタ４の嵌合部２３の内側に挿入して初期嵌合を開始させる。この時、雌コネクタ３の突起部１７は雄コネクタ４の嵌合溝２４の開口部を介して直線部２５の直線終端部２６まで至る。最後に、初期嵌合状態において回動部材２を所定方向（嵌合が生じる方向）に回動させると、この回動に伴って雌コネクタ３が徐々に移動し、突起部１７が嵌合溝２４の傾斜部２７から終端部２８へと移動するとともに、回動支持溝９の凸部１６が雌コネクタハウジング５の係合位置（図示省略）に係合し、これによって雌コネクタ３及び雄コネクタ４同士の完全嵌合状態が形成され、電気的な接続が完了する。
【特許文献１】特開２００３−１６３０５６号公報
【発明の開示】
【発明が解決しようとする課題】
【００１３】
ところで、上記従来技術にあっては、雌コネクタ３の先端部（フロントホルダー６が嵌合する部分）を雄コネクタ４の嵌合部２３の内側に挿入して初期嵌合状態が形成される際に、フロントホルダー６と雌コネクタハウジング５の円柱部７とにより生じる嵌合境界２１の段差や凹みに嵌合部２３の先端（嵌合側端部）が引っ掛かったり落ち込んだりしてしまうことがあり、このような引っ掛かり等があるとスムーズな挿入作業が阻害されることになる。嵌合境界２１は円周方向全周に形成されることから、雌コネクタ３及び雄コネクタ４同士の挿入の軸がズレると、このズレの方向にあわせて引っ掛かり等が起きてしまうことになる。
【００１４】
尚、フロントホルダー６は、端子収容室の前部を構成するための部材であることから、このフロントホルダー６を嵌合させると、雄コネクタ４の嵌合部２３の先端が引っ掛かり易い位置に嵌合境界２１が形成されてしまうことになる。
【００１５】
この他、特許文献１に開示された回転嵌合式コネクタ１は、接続回路数（端子数）を多くしたいという要請がある場合に、次のような問題点を有している。回転嵌合式コネクタ１は、自動車のトランスミッション用のコネクタであり、トランスミッションに穴をあけることによって取り付けられている。従って、トランスミッションの強度面から、回転嵌合式コネクタ１の径方向のコネクタサイズは大きくなる方向に変えられないということになる。コネクタサイズが変えられないということは、接続回路数を多くすることに制限があることになる。
【００１６】
回転嵌合式コネクタ１の数を増やして接続回路数を多くしようとしても、トランスミッションの取り付け穴数が増えてしまうことから、強度面の問題点を解消することができないことになる。回転嵌合式コネクタ１は、現状、接続回路数を増やすことが困難であるという問題点を有している。
【００１７】
本発明は、上述した事情に鑑みてなされたもので、作業性の向上を図ることが可能な回転嵌合式コネクタにおける回動部材側コネクタを提供することを課題とする。また、接続回路数を増やすことが可能な回転嵌合式コネクタにおける回動部材側コネクタを提供することを課題とする。
【課題を解決するための手段】
【００１８】
上記課題を解決するためになされた請求項１記載の本発明の回転嵌合式コネクタにおける回動部材側コネクタは、略円柱形状の円柱部に複数の端子収容室を有するコネクタハウジングと、対応する前記端子収容室に収容される複数の接続端子と、略環状の環状側壁を有するとともに前記コネクタハウジングに嵌合して前記端子収容室の前部を構成するフロントホルダーと、該フロントホルダーの前記環状側壁に対し所定の間隔をあけた状態で前記コネクタハウジングに回動自在に支持され且つ回動させると相手側コネクタを初期嵌合状態から完全嵌合状態へ移行させる回動部材とを備え、さらに、前記初期嵌合状態又は前記完全嵌合状態への移行の際に前記相手側コネクタの嵌合側端部が前記フロントホルダーと前記円柱部との嵌合境界を通過する、回転嵌合式コネクタにおける回動部材側コネクタにおいて、前記フロントホルダーは、前記コネクタ嵌合方向の切り欠きとなるスリットを前記環状側壁に一又は複数有し、前記円柱部は、前記スリットに露出して前記円柱部及び前記環状側壁の各外周面と略同一の曲面となる外周面延長部を一又は複数有し、前記嵌合境界の位置は互い違いとすることを特徴としている。
【００１９】
このような特徴を有する本発明によれば、スリット及び外周面延長部の存在により、環状側壁及び円柱部はこれらの外周面上で円周方向に見た時に、嵌合境界位置が互い違いとなる形状を有するようになる。従って、フロントホルダーとコネクタハウジングの円柱部とにより生じる嵌合境界の段差や凹みが円周方向に長く続くのではなく短い範囲となる。つまり、引っ掛かり等が生じる範囲が狭くなり、仮に引っ掛かり等が生じた場合でも範囲が狭いことから比較的小さな力で十分に嵌合境界を通過させることが可能になり、結果、スムーズな挿入作業が行われる。
【００２０】
本発明によれば、フロントホルダーのスリットにコネクタハウジングの円柱部の一部、すなわち外周面延長部が露出することから、円柱部においては端子収容室を形成するスペースが外側へ広がることになる。スペースが外側へ広がればレイアウトの工夫によって端子収容室の数を増やすことが可能になる。従って、回転嵌合式コネクタの径方向のコネクタサイズを変えなくとも、接続回路数を増やすことが可能になる。
【００２１】
本発明によれば、スリット及び外周面延長部の存在により、円形のフロントホルダーの嵌合作業の際の位置決めを容易にすることが可能になる。
【００２２】
請求項２記載の本発明の回転嵌合式コネクタにおける回動部材側コネクタは、請求項１に記載の回転嵌合式コネクタにおける回動部材側コネクタにおいて、前記環状側壁は、前記コネクタ嵌合方向に長い側壁延長部を一又は複数有し、前記円柱部は、前記側壁延長部を案内する案内溝を前記側壁延長部の配置に合わせて一又は複数有することを特徴としている。
【００２３】
このような特徴を有する本発明によれば、コネクタ嵌合方向に側壁延長部が伸びることから、フロントホルダーが円柱部に対して仮係止状態の時にこのフロントホルダーのガタ付き発生が抑えられる。側壁延長部によって仮係止状態にあるフロントホルダーのガタ付き発生が抑えられると、端子収容室への接続端子の挿入作業がスムーズに行われる。また、本発明によれば、側壁延長部は連続した長い面を有することから、この側壁延長部では引っ掛かりなくスムーズに相手側コネクタを案内することが可能になる。
【発明の効果】
【００２４】
請求項１に記載された本発明によれば、スリット及び外周面延長部の存在により、相手側コネクタの嵌合側端部との引っ掛かり等の生じる範囲を円周方向に狭く（短く）することができる。従って、仮に引っ掛かり等が生じた場合でも比較的小さな力で嵌合境界を通過させることができるようになり、結果、スムーズな挿入作業を行うことができるという効果を奏する。言い換えれば、作業性の向上を図ることができるという効果を奏する。
【００２５】
また、請求項１に記載された本発明よれば、円柱部における端子収容室の形成スペースが外側に広がり、結果、端子収容室の数を増やすことができるという効果を奏する。言い換えれば、回転嵌合式コネクタの径方向のコネクタサイズを変えなくとも、接続回路数を増やすことができるという効果を奏する。
【００２６】
請求項２に記載された本発明によれば、側壁延長部によって仮係止状態にあるフロントホルダーのガタ付き発生を抑えることができる。従って、端子収容室への接続端子の挿入作業をスムーズに行うことができるという効果を奏する。また、本発明によれば、フロントホルダーの側壁延長部において引っ掛かりを生じさせることがなく、スムーズな挿入作業を行うことができるという効果を奏する。
【発明を実施するための最良の形態】
【００２７】
以下、図面を参照しながら説明する。図１は本発明の一実施の形態を示す雌コネクタ（回動部材側コネクタ）の図であり、（ａ）は分解斜視図、（ｂ）は回動部材を取り外した状態の斜視図である。また、図２は図１（ａ）の拡大図、図３は図１（ｂ）の拡大図、図４はフロントホルダーの正面図、図５はフロントホルダーの側面図、図６は雌コネクタハウジングの正面図、図７は図３のＡ視方向の斜視図である。尚、従来例と同一の構成部材には同一の符号を付して詳細な説明を省略する。
【００２８】
図１において、引用符号３１は回転嵌合式コネクタを構成する雄・雌コネクタのうちの回動部材３２を有する雌コネクタ（回動部材側コネクタ）を示している。この雌コネクタ３１を含む回転嵌合式コネクタは、例えば従来同様に車両のトランスミッションに取り付けられてトランスミッション内外の電気的な接続を行えるようになっている。雌コネクタ３１は、回動部材３２を所定方向に回動させることにより雄コネクタへの引き寄せが行われて初期嵌合状態から完全嵌合状態が形成されるような構造になっている。
【００２９】
尚、雄コネクタは従来例の雄コネクタ４（図８参照）と基本的に同じ構造を有するものであるものとし、ここでは図示及び説明を省略するものとする。また、回転嵌合式コネクタとしての全体図の図示も省略するものとする。
【００３０】
雌コネクタ３１は、雌コネクタハウジング３３と、この雌コネクタハウジング３３の複数の端子収容室３４にそれぞれ収容される雌型の接続端子と、雌コネクタハウジング３３に嵌合して端子収容室３４の前部を構成するフロントホルダー３５と、雌コネクタハウジング３３に回動自在に支持される上記回動部材３２と、雌コネクタハウジング３３に取り付けられるシール材３６とを備えて構成されている。以下、図１ないし図６を参照しながら雌コネクタ３１について説明する。
【００３１】
雌コネクタハウジング３３は、内部に複数の端子収容室３４を有する略円柱形状の円柱部３７と、この円柱部３７の後部を囲む環状の回転壁８と、回転壁８の後方に形成されて回動部材３２を回動自在に支持する部分となる回動支持溝９と、回動支持溝９の後方において径方向外側に延出するように形成される延出片１０とを有している。円柱部３７と回転壁８との間には、環状のシール材３６が設けられている。雌コネクタハウジング３３は、円柱部３７の構造以外は基本的に従来例と同様の構造になっている。
【００３２】
円柱部３７は、複数の端子収容室３４の前部が露出する部分となる円柱前部３８と、この円柱前部３８に連続する略円柱形状の円柱後部３９とをコネクタ嵌合方向前後に有している。円柱部３７は、円柱後部３９の外径寸法を基準にしてこの全体が形成されている。円柱後部３９の外径寸法は、従来例の円柱部７（図９参照）の外径寸法と同じに設定されている（回転嵌合式コネクタの径方向のコネクタサイズを変えないことを基本とする）。円柱前部３８に露出する複数の端子収容室３４は、図示のように整列された状態になっている（例えば図６参照）。
【００３３】
引用符号４０は整列した状態となる複数の端子収容室３４の輪郭を形成するような壁を示している。壁４０は、平面視において四角形を組み合わせたような形状の輪郭として形成されている。本形態の壁４０は、この壁４０の角部分が上記外径寸法で描かれる円に接するように形成されている（本形態では六つの角部分が円に接する）。壁４０の六つの角部分は、実際、エッジ形状でなく、フロントホルダー３５の後述するスリット４４に露出して円柱部３７の外周面（円柱後部３９の外周面）と略同一の曲面となる外周面延長部４１を有するように形成されている。円柱前部３８は、複数の端子収容室３４の前部が露出した状態であっても、外周面延長部４１の存在によって上記外径寸法が維持されている。壁４０の内側には、３６個の端子収容室３４が形成されている。
【００３４】
本形態において、接続端子のサイズを従来例よりも若干小さくしたものの、端子収容室３４の数は従来例の端子収容室の数２１個から３６個へと大幅に数が増えている。これは外周面延長部４１を有する上記の角部分が形成され、端子収容室３４を形成するスペースが従来例よりも外側へ広がったことによるものである。スペースが外側へ広がれば本形態のように更なるレイアウトの工夫によって端子収容室３４の数を増やすことができることになる。
【００３５】
円柱前部３８と円柱後部３９との境界には、複数（本形態では四つ）の段部４２が形成されている。複数の段部４２は、それぞれ壁４０の外側に形成されている。複数の段部４２は、同一平面上に形成されている。尚、円柱前部３８と円柱後部３９との境界、言い換えれば段部４２が形成される位置は、従来例での嵌合境界２１（図９参照）に相当する位置になっている。本発明では嵌合境界２１（図９参照）とは異なる位置にも嵌合境界が形成されている（後述する）。複数の段部４２のうち二つには、フロントホルダー３５を係止するための一対のアームからなるホルダ係止アーム４３が形成されている。
【００３６】
円柱部３７には、一対の誤組み付け防止溝を構成する溝４４と、一対の案内溝４５とが形成されている。一対の誤組み付け防止溝を構成する溝４４及び一対の案内溝４５は、円柱前部３８と円柱後部３９とに跨るように形成されている。一対の誤組み付け防止溝を構成する溝４４及び一対の案内溝４５は、コネクタ嵌合方向へ伸びるように形成されている（一対の誤組み付け防止溝を構成する溝４４及び一対の案内溝４５は、円柱後部３９にまで形成されることから、円柱前部３８と円柱後部３９との境界、言い換えれば段部４２が形成される位置よりもコネクタ嵌合方向奥側に長く伸びるようになっている）。
【００３７】
誤組み付け防止溝を構成する溝４４には、雄コネクタの雄コネクタハウジングに形成される誤組み付け防止突起が挿入されるようになっている。また、案内溝４５には、フロントホルダー３５の後述する側壁延長部５５が挿入されるようになっている。上記誤組み付け防止突起は、コネクタ嵌合の際に、誤組み付け防止溝によって奥側へ案内されるようになっている。後述する側壁延長部５５は、フロントホルダー３５の嵌合の際に、案内溝４５によって奥側へ案内されるようになっている。誤組み付け防止溝を構成する溝４４は、特に限定するものでないが、円柱前部３８の位置に（壁４０に）コネクタ嵌合方向に伸びる突条４６を有している。
【００３８】
円柱部３７は、壁４０おける外周面延長部４１を有する角部分の形成によって、また、案内溝４５の形成によって、フロントホルダー３５に対する嵌合境界（後述する）が円柱部３７の外周面（円柱後部３９の外周面）上で円周方向に見た時に互い違いとなるような形状になっている（壁４０おける外周面延長部４１を有する角部分の端部、また、案内溝４５のコネクタ嵌合方向奥側の端部は、段部４２が形成される位置に形成されないことを意味する）。
【００３９】
フロントホルダー３５は、略円形の前壁４７と、この前壁４７の縁部に連続する略環状の環状側壁４８とを有している。前壁４７には、雌コネクタハウジング３３の端子収容室３４の位置に合わせて複数の開口４９が貫通形成されている。開口４９は、コネクタ嵌合の際に雄コネクタの雄型の接続端子が差し込まれる部分として形成されている。開口４９は、端子収容室３４毎に開口するのではなく、幾つかの端子収容室３４をまとめた状態で開口するように形成されている。このような開口４９には、端子収容室３４内に差し込まれる差し込み片５０が形成されている。尚、前壁４７における引用符号５１は、強度確保用のリブを示している。また、引用符号５２は、円柱部３７のホルダ係止アーム４３が差し込まれて係止状態が形成される係止部を示している。
【００４０】
環状側壁４８は、フロントホルダー３５が雌コネクタハウジング３３の円柱部３７に嵌合すると、この円柱部３７の外周面に同一となる曲面（外周面）を有するように形成されている。環状側壁４８には、一対の誤組み付け防止溝を構成する溝５３が形成されている。また、環状側壁４８には、複数のスリット５４と、複数の側壁延長部５５とがそれぞれ形成されている。一対の誤組み付け防止溝を構成する溝５３には、円柱部３７の突条４６が差し込まれる突条用スリット５６が形成されている。
【００４１】
スリット５４は、環状側壁４８の端部５７からコネクタ嵌合方向に切り欠かれるように形成されている。スリット５４は、円柱部３７の壁４０における外周面延長部４１を有する角部分が差し込まれてこれを露出させることができるように形成されている。スリット５４は、円柱部３７の壁４０における外周面延長部４１を有する角部分の位置に合わせて形成されている（本形態では六つ）。
【００４２】
側壁延長部５５は、環状側壁４８の一部がコネクタ嵌合方向に長く伸びるような短冊形状に形成されている。側壁延長部５５は、フロントホルダー３５を円柱部３７に嵌合させた際に、段部４２が形成される位置よりもコネクタ嵌合方向に長く伸びるように形成されている。側壁延長部５５は、フロントホルダー３５を円柱部３７に嵌合させた際に、案内溝４５によって奥側へ案内されるようになっている。側壁延長部５５は、案内溝４５の位置に合わせて形成されている。
【００４３】
スリット５４及び側壁延長部５５は、環状側壁４８の端部位置を変える部分として形成されている。また、側壁延長部５５は、フロントホルダー３５を円柱部に対し仮係止状態とした時に、このフロントホルダー３５のガタ付き発生を抑える部分として形成されている。さらに、側壁延長部５５は、円柱部３７への嵌合後のフロントホルダー３５のガタ付きを抑える部分として形成されている。側壁延長部５５は、連続した長い面を有することから、この側壁延長部５５において引っ掛かりなくスムーズに雄コネクタを案内することができるようになっている。
【００４４】
環状側壁４８において、引用符号５８の端部は、フロントホルダー３５を円柱部３７から離脱させる際に、ホルダ係止アーム４３を操作することができるように形成した部分となっている。この引用符号５８の端部は、前壁４７からの距離が環状側壁４８の端部５７よりも短くなるようになっている。すなわち、円柱部３７の段部４２に対して若干の隙間が形成されるようになっている。尚、引用符号５８の端部の形成は一例であり、従来例の問題点解消に支障があるようであれば、環状側壁４８の端部５７と同じに形成しても当然によいものとする。
【００４５】
回動部材３２は、従来例の回動部材２（図８及び図９参照）と基本的に同じ構造及び機能を有している。引用符号５９は内側円筒部、引用符号６０は外側円筒部、引用符号６１は係合片、引用符号６２は突起部を示している。
【００４６】
上記構成及び構造において、フロントホルダー３５をコネクタ嵌合方向に移動させて雌コネクタハウジング３３の円柱部３７に先ず仮係止させ、次に端子収容室３４に接続端子を挿入する作業を行い、最後にフロントホルダー３５を押し込んで本係止を行うと、フロントホルダー３５の係止部５２と円柱部３７のホルダ係止アーム４３との係止がなされてフロントホルダー３５は円柱部３７に嵌合係止される。この時、フロントホルダー３５のスリット５４に、円柱部３７の壁４０における外周面延長部４１を有する角部分が差し込まれてこれが露出するとともに、フロントホルダー３５の側壁延長部５５が円柱部３７の案内溝４５によって奥側へ案内される。
【００４７】
このような状態において、フロントホルダー３５と円柱部３７との嵌合境界は、図３で示す範囲においては、引用符号６３〜６５の三つの位置の嵌合境界となっている（図６では二つの位置となる）。嵌合境界６３〜６５は、互い違いの位置に形成されている。従って、フロントホルダー３５と円柱部３７とにより生じる嵌合境界の段差や凹みが円周方向に長く続くのではなく、引用符号６３〜６５の三つの位置の嵌合境界で示すような短い範囲とすることができる。つまり、雄コネクタの嵌合側端部が引っ掛かる可能性のある部分の範囲が本発明では狭くなり、仮に引っ掛かり等が生じた場合でもこの範囲が狭いことから比較的小さな力で十分に嵌合境界を通過させることができる。この結果、従来例よりもスムーズに挿入作業を行うことができる。
【００４８】
その他、本発明は本発明の主旨を変えない範囲で種々変更実施可能なことは勿論である。
【図面の簡単な説明】
【００４９】
【図１】本発明の一実施の形態を示す雌コネクタ（回動部材側コネクタ）の図であり、（ａ）は分解斜視図、（ｂ）は回動部材を取り外した状態の斜視図である。
【図２】図１（ａ）の拡大図である。
【図３】図１（ｂ）の拡大図である。
【図４】フロントホルダーの正面図である。
【図５】フロントホルダーの側面図である。
【図６】雌コネクタハウジングの正面図である。
【図７】図３のＡ視方向の斜視図である。
【図８】従来例の回転嵌合式コネクタの分解斜視図である。
【図９】図８の雌コネクタの分解斜視図である。
【符号の説明】
【００５０】
３１  雌コネクタ（回動部材側コネクタ）
３２  回動部材
３３  雌コネクタハウジング（コネクタハウジング）
３４  端子収容室
３５  フロントホルダー
３６  シール材
３７  円柱部
３８  円柱前部
３９  円柱後部
４０  壁
４１  外周面延長部
４２  段部
４３  ホルダ係止アーム
４４  誤組み付け防止溝を構成する溝
４５  案内溝
４６  突条
４７  前壁
４８  環状側壁
４９  開口
５０  差し込み片
５１  リブ
５２  係止部
５３  誤組み付け防止溝を構成する溝
５４  スリット
５５  側壁延長部
５６  突条用スリット
５７、５８  端部
５９  内側円筒部
６０  外側円筒部
６１  係合片
６２  突起部
６３〜６５  嵌合境界
【図１】
2008130466.tif 000003
【図２】
2008130466.tif 000004
【図３】
2008130466.tif 000005
【図４】
2008130466.tif 000006
【図５】
2008130466.tif 000007
【図６】
2008130466.tif 000008
【図７】
2008130466.tif 000009
【図８】
2008130466.tif 000010
【図９】
2008130466.tif 000011